(57)【要約】【課題】熟練作業者でなくともフィルタ枠を精度良く簡便に組み立てることができ、安全に取り扱うことができ、しかも、品質の高いエアーフィルタを提供する。【解決手段】断面コ字状を有する４つの金属製の枠板を矩形に組み合わせて形成されたフィルタ枠内に濾材を収納したエアーフィルタにおいて、隣接する枠板３０，３３の端部を接続する樹脂製の接続部品３４を有する。接続部品３４は、フィルタ枠の角部を形成する角部形成部３４ａと、角部形成部３４ａから延設され、各枠板３０，３３にそれぞれ接合される固定片３４ｂ，３４ｃとを有する。【選択図】図２
2015202488.tif 000002
【特許請求の範囲】
【請求項１】
断面コ字状を有する４つの金属製の枠板を矩形に組み合わせて形成されたフィルタ枠内に、濾材を収納したエアーフィルタにおいて、
隣接する上記枠板の端部を接続する樹脂製の接続部品を有し、
上記接続部品は、上記フィルタ枠の角部を形成する角部形成部と、
上記角部形成部から延設され、隣接する上記各枠板にそれぞれ接合される固定片とを有することを特徴とするエアーフィルタ。
【請求項２】
上記枠板は、
対向する一対の部分の内壁のそれぞれに、上記固定片をスライドさせて挿入させるための溝部が形成されている請求項１に記載のエアーフィルタ。
【請求項３】
上記接続部品は、
上記角部形成部と上記固定片との境界部分に、上記枠板の端部を上記角部形成部に対して面一に接続するための段部が形成されている請求項１または２に記載のエアーフィルタ。
【請求項４】
上記濾材の外周縁部が接着剤を介して上記フィルタ枠に固着されている請求項１〜３のいずれか１項に記載のエアーフィルタ。
【請求項５】
該エアーフィルタは、
上記４つの金属製の枠板の少なくとも１つの外壁に、他のエアーフィルタを継ぎ合わせる連結金具を備える請求項１〜４のいずれか１項に記載のエアーフィルタ。
【請求項６】
上記連結金具は、
上記フィルタ枠の少なくとも一辺に隙間なく形成されている請求項５に記載のエアーフィルタ。
【請求項７】
上記接続部品は、
上記連結金具を備える枠板に隣接する側の上記固定片と上記角部形成部との境界部分の方が、上記連結金具を備えない枠板に隣接する側の上記固定片と上記角部形成部との境界部分よりも、上記角部形成部の角に近い請求項５または６に記載のエアーフィルタ。
【発明の詳細な説明】
【技術分野】
【０００１】
本発明は、ビルや工場内に設置される空調設備、空気清浄機等に使用されるエアーフィルタに関するものである。
【背景技術】
【０００２】
従来、エアーフィルタは、図８の分解斜視図に示すように、プリーツ型の濾材５０とその濾材５０を収納するフィルタ枠５１とから構成されている。
【０００３】
濾材５０を交換することができるこの種のエアーフィルタでは、一般的にフィルタ枠５１は、取り外し可能な上板５１ａと、固定された下板５１ｂおよび側板５１ｃ，５１ｄとから構成されている。
【０００４】
上板５１ａの両端部には折曲部５２が設けられており、それら一対の折曲部５２，５２を、それぞれ側板５１ｃ，５１ｄと板片５３との隙間に差し込めば、上板５１ａを着脱可能に側板５１ｃ，５１ｄと接続することができるようになっている（例えば、特許文献１参照）。
【０００５】
上板５１ａ、下板５１ｂ、側板５１ｃおよび側板５１ｄを製作する場合、例えば、チャンネルタイプのアルミ型材を所定の寸法に切断し、各端部をそれぞれ４５°に切断し、その切断部についてバリ取りを行い、額縁状に仮組みし、固定すべき接続部分については当て板を用いてカシメを行い、各コーナー部について面取りが行われる。
【０００６】
また、図９に示す別のエアーフィルタでは、フィルタ枠を構成する上板５４ａと側板５４ｂとを接続部品５５を介して接続するように構成されている。
【０００７】
側板５４ｂの接続側端部には小窓５４ｃが設けられており、接続部品５５には柱部５５ａと弾性変形し得る舌部材５５ｂが形成されている。
【０００８】
濾材５０の上縁部を把持するようにして上板５４ａの柱部５５ａを側板５４ｂに差し込むと、舌部材５５ｂの突起部５５ｃが上記小窓５４ｃに嵌合するようになっており、それにより、上板５４ａと側板５４ｂとを接続することができるようになっている。なお、接続部品５５の基部５５ｄは上板５４ａに予めねじ止めされている（例えば、特許文献２参照）。
【先行技術文献】
【特許文献】
【０００９】
【特許文献１】特開２００６−１１０５３０号公報
【特許文献２】特開２００４−４１８７９号公報
【発明の概要】
【発明が解決しようとする課題】
【００１０】
しかしながら、前者のエアーフィルタでは、作業者の熟練度によって組み立て精度にバラツキが発生するという問題があり、また、フィルタ枠の角部が鋭利になるため作業者や顧客が怪我をしないよう、面取り作業を入念にしなければならない。さらに、フィルタ枠を製造する場合に多くの加工工程を経なければならず、加工時に発生する削りカスが製品に付着した場合は製品の品質を低下させる虞もある。
【００１１】
これに対して、後者のエアーフィルタの構成では、上板５４ａや側板５４ｂの接続側端部を４５°に切断する必要が無いものの、上板５４ａについては切欠き部（図９のＣ部参照）や小窓５４ｃを形成するための工程が必要となる。
【００１２】
また、接続部品５５を上板５４ａに対し正確に位置決めしてねじ止めする必要があり、作業者の熟練度によって組み立て精度にバラツキが発生するという問題は解消されていない。
【００１３】
本発明は以上のような従来のエアーフィルタのフィルタ枠組み立て時における課題を考慮してなされたものであり、熟練作業者でなくともフィルタ枠を精度良く簡便に組み立てることができ、安全に取り扱うことができ、しかも、品質の高いエアーフィルタを提供するものである。
【課題を解決するための手段】
【００１４】
本発明は、断面コ字状を有する４つの金属製の枠板を矩形に組み合わせて形成されたフィルタ枠内に、濾材を収納したエアーフィルタにおいて、
隣接する上記枠板の端部を接続する樹脂製の接続部品を有し、
上記接続部品は、上記フィルタ枠の角部を形成する角部形成部と、
上記角部形成部から延設され、隣接する上記各枠板にそれぞれ接合される固定片とを有するエアーフィルタである。
【００１５】
本発明において、上記枠板は、対向する一対の部分の内壁のそれぞれに、上記固定片をスライドさせて挿入させるための溝部を形成することが好ましい。
【００１６】
本発明において、上記接続部品は、上記角部形成部と上記固定片との境界部分に、上記枠板の端部を上記角部形成部に対して面一に接続するための段部を形成することが好ましい。
【００１７】
本発明において、上記濾材の外周縁部を、接着剤を介して上記フィルタ枠に固着することが好ましい。このような構成にすれば、上記フィルタ枠と上記濾材の外周縁部とが接着されて一体化されるため、上記枠板に対して上記接続部品を固着する必要がない。
【００１８】
本発明において、上記エアーフィルタは、上記４つの金属製の枠板の少なくとも１つの外壁に、他のエアーフィルタを継ぎ合わせる連結金具を備えることが好ましい。
【００１９】
本発明において、上記連結金具は、上記フィルタ枠の少なくとも一辺に隙間なく形成されていることが好ましい。
【００２０】
本発明において、上記接続部品は、上記連結金具を備える枠板に隣接する側の上記固定片と上記角部形成部との境界部分の方が、上記連結金具を備えない枠板に隣接する側の上記固定片と上記角部形成部との境界部分よりも、上記角部形成部の角に近いことが好ましい。
【発明の効果】
【００２１】
本発明のエアーフィルタによれば、作業者の熟練度に関係なくエアーフィルタのフィルタ枠を少ない工程で精度良く組み立てることができる。
【００２２】
また、フィルタ枠の角部が樹脂製の接続部品で構成されているため、鋭利な金属部分が存在せず安全に取り扱うことができる。
【００２３】
また、フィルタ枠の角部を形成する場合に切断作業を必要としないため、品質の高いエアーフィルタを提供することができる。
【図面の簡単な説明】
【００２４】
【図１】本発明に係るエアーフィルタの全体構成を示す斜視図である。
【図２】図１に示したエアーフィルタの要部分解斜視図である。
【図３】図１の接続部品の拡大図であり、(ａ)は平面図、(ｂ)は正面図、(ｃ)は右側面図である。
【図４】接続部品の変形例を示した斜視図である。
【図５】本発明に係るフィルタ枠の別の形態を示す要部分解斜視図である。
【図６】図５に示すフィルタ枠を用いて組み立てられたエアーフィルタの要部斜視図である。
【図７】本発明に係るフィルタ枠のさらに別の形態を示す要部分解斜視図である。
【図８】従来のエアーフィルタの構成を示す分解斜視図である。
【図９】従来の別のエアーフィルタの構成を示す分解斜視図である。
【発明を実施するための形態】
【００２５】
以下、図面に示した実施の形態に基づいて本発明を詳細に説明する。
【００２６】
［１］エアーフィルタの全体構成
図１は、本発明に係るエアーフィルタの全体構成を示す斜視図である。
【００２７】
本発明は、使用済みとなった場合に、濾材とフィルタ枠を共に廃棄するいわゆる使い捨てエアーフィルタに好適なエアーフィルタを提供するものである。
【００２８】
同図において、エアーフィルタ１は、平板状の濾材に山谷状のひだ（プリーツ）を多数形成した、いわゆるプリーツ型の濾材２と、その濾材２の外周縁部を把持することにより濾材２を収納するフィルタ枠３とから主として構成されており、空気や排気ガス中の微細な汚染粒子を除去するものである。また、符号２ａは濾材２のジグザク折り形状を保持するために必要に応じて設けられる保持ビードである。
【００２９】
濾材２の形態としては不織布、織物、微多孔膜等を用いることができる。濾材２の素材としては合成樹脂、合成繊維、天然繊維、無機繊維、金属繊維等を用いることができるが、本実施形態では合成樹脂を素材として採用している。
【００３０】
なお、濾材２の縦サイズ（Ｙ方向）、横サイズ(Ｘ方向)、プリーツの深さ(Ｚ方向)はエアーフィルタ１が取り付けられる環境、用途等に応じて適宜選択される。また、濾材２は、必ずしもプリーツ型でなくてもよいので、例えば平板状等の他の形状の型であってもよい。
【００３１】
フィルタ枠３は、矩形に組み合わされる４つの金属製の枠板、具体的には、上板３０、底板３１、側板３２および側板３３と、隣接する枠板の各角部をそれぞれ接続する４つの樹脂製の接続部品３４とから構成されている。
【００３２】
上板３０、底板３１、側板３２および側板３３としては、軽量であるという利点のある、おおよそ厚さ０．５ｍｍ〜２．０ｍｍ程度の同じアルミニウム型材を使用している。
【００３３】
また、上板３０、底板３１、側板３２および側板３３は、長手方向と直交する方向の断面形状がコ字状（チャンネル）をなしており、その長さは濾材２の縦横各辺のサイズに合わせて切断されている。
【００３４】
［２］エアーフィルタの各部の構成
図２は、図１に示したエアーフィルタ１を分解して示した要部斜視図である。
【００３５】
ここで、図２に示すように、上記コ字状の断面を有する上板３０において、長手方向における対向する一対の部分を折曲部３０ａと称し、同様に、上記コ字状の断面を有する側板３３において、長手方向における対向する一対の部分を折曲部３３ａと称する。なお、図１と同じ構成要素については同一符号を付してその説明を省略する。
【００３６】
同図において、接続部品３４は、隣接する上板３０と側板３３の間に介設されてそれら上板３０と側板３３とをＬ字形に接続すると同時に、フィルタ枠３の各角部を形成するようになっている。
【００３７】
上記接続部品３４は、ＡＢＳ樹脂、ポリプロピレン樹脂等から構成することができる。
【００３８】
詳しくは、接続部品３４は、フィルタ枠３の角部を形成する角部形成部３４ａと、その角部形成部３４ａから延設され、上板３０と側板３３とにそれぞれ接合される固定片３４ｂおよび固定片３４ｃを備えている。
【００３９】
角部形成部３４ａにおいて、その一辺の長さＳは、本実施形態では上板３０における折曲部３０ａの折曲げ長さＳ、および、側板３３における折曲部３３ａの折曲げ長さＳに合わせて成形されている。また、角部形成部３４ａの幅Ｗは、上板３０および側板３３における横幅Ｗに合わせて成形されている。なお、上記一辺の長さＳは、必ずしも折曲部３０ａおよび折曲部３３ａの折り曲げ長さに一致させる必要はない。
【００４０】
また、固定片３４ｂの幅Ｗ′は、上板３０の内面横幅に合わせて成形されており、固定片３４ｂを上板３０の内面に沿わせて挿入すれば、折曲部３０ａの外面と角面３４ｄが面一に接続されるようになっている。
【００４１】
また、折曲部３０ａの内壁には一対の突条３０ｂが対向して形成されており、上記固定片３４ｂは一対の突条３０ｂのそれぞれと上板３０の内壁との間に形成される凹み（対向する一対の溝部）に挿入されるようになっている。同様に、折曲部３３ａの内壁には、一対の突条３３ｂが対向して形成されており、上記固定片３４ｃは一対の突条３３ｂのそれぞれと側板３３の内壁との間に形成される凹み（対向する一対の溝部）に挿入されるようになっている。
【００４２】
また、固定片３４ｂは角部形成部３４ａの外面よりも、上板３０の厚み分低い位置から延設されており、固定片３４ｂを上板３０の内面に沿わせて挿入すれば、上板３０の外面と角部形成部３４ａが面一に接続されるようになっている。
【００４３】
固定片３４ｃと側板３３との接続も上記と同様の方法により行われる。
【００４４】
なお、本発明は使い捨てのエアーフィルタとして好適なものであるため、濾材２をフィルタ枠３内に収納するにあたっては、フィルタ枠３の内面にホットメルト接着剤を塗布し、濾材２の外周縁部とフィルタ枠３とを固着し、濾材２をフィルタ枠３に固定している。
【００４５】
なお、濾材２とフィルタ枠３とを接着するにあたっては、上記ホットメルト接着剤に限らず、ウレタン樹脂接着剤やエポキシ樹脂接着剤等も使用することができる。
【００４６】
上記構成を有するエアーフィルタ１の組み立て順序の一例を挙げれば以下の通りである。
【００４７】
まず、図１に示した側板３２、側板３３および底板３１を、接続部品３４を用いて上向きコ字状に組み立てる。
【００４８】
次いで、側板３２、側板３３および底板３１の内面にホットメルト接着剤を塗布する。
【００４９】
次いで濾材２を側板３２、側板３３に沿わせながら挿入し、底板３１と接触するまで押し入れる。
【００５０】
最後に、接続部品３４を接合した上板３０を用意し、その内面にホットメルト接着剤を塗布し、その接続部品３４付きの上板３０を側板３２と側板３３とに接続し、フィルタ枠３を完成させる。
【００５１】
それにより、フィルタ枠３と濾材２の外周縁部とが接着されて一体化されるため、上板３０、底板３１、側板３２および側板３３に対して接続部品３４を固着する必要がない。
【００５２】
［３］接続部品の構成
図３は接続部品３４の構成を拡大して示したものであり、同図(ａ)は平面図、同図(ｂ)は正面図、同図(ｃ)は右側面図である。
【００５３】
図３(ｃ)において、接続部品３４の角面３４ｄから互いに９０°の角度を空けて補強片３４ｅ、３４ｆが形成されており、一方の補強片３４ｅは、上板３０に接続部品３４を装着した際に、上板３０の折曲部３０ａの各内面に密着して接続状態を安定させるようになっている。
【００５４】
また、他方の補強片３４ｆは、側板３３に接続部品３４を装着した際に、側板３３の折曲部３３ａ（図２参照）の各内面に密着して接続状態を安定させるようになっている。なお、上記補強片３４ｅ、３４ｆは必要に応じて設けられる。
【００５５】
また、補強片３４ｅと固定片３４ｂとの間には隙間ｄが設けられ、補強片３４ｆと固定片３４ｃとの間にも隙間ｄが設けられている。これらの隙間ｄは、上板３０の折曲部３０ａ内面に形成されている突条３０ｂ（図２参照）および側板３３の折曲部３３ａ内面に形成されている突条３３ｂ（図２参照）をそれぞれ受け入れるようになっている。
【００５６】
上板３０から見れば、折曲部３０ａの内壁には、固定片３４ｂをスライドさせて挿入させるための溝部が突条３０ｂによって形成されていることになる。同様に、側板３３から見れば、折曲部３３ａの内壁には、固定片３４ｃをスライドさせて挿入させるための溝部が突条３３ｂによって形成されていることになる。
【００５７】
これらにより、接続部品３４は、上記突条３０ｂを挟み込んだ状態で上板３０に固定され、上記突条３３ｂを挟み込んだ状態で側板３３に固定される。
【００５８】
なお、固定片３４ｂ、３４ｃの先端側にはテーパｔが設けられており、上板３０、側板３３に対する挿入を円滑にするようになっている。
【００５９】
さらに、接続部品３４における角部形成部３４ａと固定片３４ｂとの境界部分には、上板３０の端部を角部形成部３４ａに対して面一に接続するための段部３４ｇが形成されており、角部形成部３４ａと固定片３４ｃとの境界部分にも、側板３３の端部を角部形成部３４ａに対して面一に接続するための段部３４ｈが形成されている。
【００６０】
これらの段部３４ｇ、３４ｈに上板３０、側板３３の接続側端面を押し当てることにより、上板３０および側板３３と接続部品３４との位置決めができるようになっており、同時に上板３０と側板３３とを９０°の角度で正確に接続することができるようになっている。
【００６１】
［４］接続部品の変形例
図４は、接続部品３４の変形例を示したものである。
【００６２】
同図に示す接続部品は、図３(ｃ)に示した２つの補強片３４ｅ，３４ｆの間の隙間を埋めて１つの補強板３４ｉとし、接続部品３４の強度をより高めたものである。
【００６３】
このように、角部形成部３４ａについては、上板３０、底板３１、側板３２および側板３３との位置決めができ、且つそれらの板を正確に９０°に組み合わせるために、図３に示した形状と同じ形状になるが、補強片の形状については、フィルタ枠に要求される強度に応じて適宜、設計することができる。
【００６４】
［５］フィルタ枠の別の形態
図５は本発明に係るフィルタ枠の別の形態を示した要部分解斜視図である。
【００６５】
同図において、接続部品４４は、図４に示した接続部品３４と同様に、角部形成部４４ａに補強板４４ｉが形成されており、この補強板４４ｉの一部４４ｊは角部形成部４４ａに対して面一となるように三角形状に隆起しており、接続部品４４に接続される底板３１および側板３３の縁部と当接して各板を安定させるようになっている。補強片４４ｆを設けてもよい。
【００６６】
また、角部形成部４４ａからは２つの固定片４４ｂ、４４ｃが直角方向に延設されており、固定片４４ｂには貫通孔４４ｄが２箇所(Ｚ方向)形成され、固定片４４ｂに接続される側板３３の各端部にも各貫通孔４４ｄに対応する位置に貫通孔３３ｃが２箇所形成されている。
【００６７】
固定片４４ｃについても同様に、貫通孔４４ｅが２箇所(Ｚ方向)形成されており、固定片４４ｃに接続される底板３１の各端部にも各貫通孔４４ｅに対応する位置に貫通孔３１ｃが２箇所形成されている。
【００６８】
それにより、固定片４４ｂに対して側板３３の下端部を嵌め合せ、それぞれの貫通孔４４ｄおよび貫通孔３３ｃに、リベット（後述する）の軸部を通してかしめることにより、側板３３の下端部と接続部品４４とを接合することができるようになっている。
【００６９】
また、固定片４４ｃについても、底板３１の一方端部を嵌め合せ、それぞれの貫通孔４４ｅと貫通孔３１ｃにリベットの軸部を通してかしめることにより、底板３１の一方端部と接続部品４４とを接合することができる。
【００７０】
このような接合作業を、フィルタ枠を構成している各板と接続部品４４との間で行うことにより、フィルタ枠を組み立てることができる。
【００７１】
なお、上記リベットとしては、フィルタ枠の厚み方向両側からかしめ接合を行うリベット、フィルタ枠の厚み方向片方側からかしめ接合を行うことができるブラインドリベット、具体的にはＰＯＰ（登録商標）リベット等を使用することができる。
【００７２】
また、上記実施形態ではリベットを例に取り説明したが、リベットに限らず、ボルト・ナットを使用することもできる。
【００７３】
図６は図５に示したフィルタ枠を用いて組み立てられたエアーフィルタの要部斜視図である。
【００７４】
上板３０、底板３１、側板３２、側板３３およびそれらの各角部に配置された接続部品４４によって仮組みされたフィルタ枠に対し、各接続部品の貫通孔と各板の貫通孔とにブラインドリベット４４ｆ’を挿入し、リベットボディ内に収納されているマンドレルを専用工具で引き抜き、中空となったリベットボディを丸頭状に変形させることによって各接続部品と各板が接合されている。フィルタ枠内には濾材２が収納されている。
【００７５】
図６に示したエアーフィルタは、フィルタ枠を構成している接続部品と各板とをリベットによって一体化しているため、図１に示したエアーフィルタに比べ、より耐久性が高められている。
【００７６】
［６］フィルタ枠の別の形態
図７は本発明に係るフィルタ枠のさらに別の形態を示した要部分解斜視図である。なお、図２に示すエアーフィルタ１と同様の構成要素には同一符号を付し、その説明を省略する。
【００７７】
図７に示すフィルタ枠は、複数個のエアーフィルタを継ぎ合わせて１つのエアーフィルタとして使用することができる連結仕様になっている。なお１つの大型のエアーフィルタでは取扱いが面倒であったり、装着性が悪い等の問題が生じることがあるので、小型のエアーフィルタを継ぎ合わせて１つの大きなエアーフィルタとすることが好ましい。
【００７８】
ここでエアーフィルタの連結には、例えば４つの金属製の枠板の少なくとも１つの外壁に、Ｌ字型等の連結金具を設けたエアーフィルタを複数個準備し、異なるエアーフィルタの連結金具同士を噛み合わせる方法等が考えられる。
【００７９】
側板４３は、図２に示した側板３３の外壁に、他のエアーフィルタを継ぎ合わせる連結金具４３ａを追加したものである。なお、本形態においては、４つの金属製の枠板（上板、底板、側板および側板）の少なくとも１つの外壁に連結金具を備えていればよい。また連結金具４３ａは、連結部分の隙間から汚れたエアが通り抜け難いように、フィルタ枠の少なくとも一辺に隙間なく形成されており、該一辺と同程度の長さであることが好ましい。
【００８０】
接続部品４５は、接続部品３４と同様に、ＡＢＳ樹脂、ポリプロピレン樹脂等から構成することができる。
【００８１】
接続部品４５は、隣接する上板３０と側板４３の間に介設されて、それら上板３０と側板４３とをＬ字形に接続すると同時に、フィルタ枠３の各角部を形成する。詳しくは、接続部品４５は、フィルタ枠３の角部を形成する角部形成部４５ａと、その角部形成部４５ａから延設され、上板３０と側板４３とにそれぞれ接合される固定片３４ｂおよび固定片４５ｃを備えている。
【００８２】
ここで連結金具を備える枠板である側板４３に隣接する側の固定片４５ｃと角部形成部４５ａとの境界部分の方が、連結金具を備えない枠板である上板３０に隣接する側の固定片３４ｂと角部形成部４５ａとの境界部分よりも、角部形成部４５ａの角に近い。よって角部形成部４５ａにおいて、連結金具を備える枠板である側板４３側の辺の長さＳ１は、連結金具を備えない枠板である上板３０側の辺の長さＳ２よりも短い。詳しくは、側板４３側の辺の長さＳ１は、上板３０の板厚Ｓ０に合わせて成形され、上板３０側の辺の長さＳ２は、側板４３における折曲部３３ａの折曲げ長さＳに合わせて成形されている。また角部形成部４５ａの幅Ｗは、上板３０および側板４３における横幅Ｗに合わせて成形されている。なお、上記一方の辺の長さＳ１は必ずしも上板３０の板厚Ｓ０に一致させる必要はなく、一辺の長さＳ２は必ずしも折曲部３３ａの折り曲げ長さＳに一致させる必要もないが、これらを一致させることにより美観が得られるとともに適度な強度を保つことができる。
【００８３】
固定片４５ｃと側板４３との接続は、固定片３４ｃと側板３３との接続と同様の方法により行われる。
【００８４】
なお、本発明は、上記実施形態では使い捨てエアーフィルタを例に取り説明したが、濾材交換型のエアーフィルタとしても応用することができる。
【００８５】
上記構成を有するエアーフィルタ１によれば、金属製のフィルタ枠の角部を製作するにあたって４５°に切断し、熟練作業者による接続作業を必要としないため、熟練者でなくとも精度良く、しかも簡便にフィルタ枠を製作することができる。
【００８６】
本発明によれば、フィルタ枠の各角部を樹脂製の接続部品によって構成しているため、フィルタ枠の角部から金属材による鋭利な部分を排除することができ、それにより、怪我をする虞がなく安全にエアーフィルタを取り付け、取り外しすることができる。
【００８７】
また、アルミニウム型材４本と接続部品４個だけでフィルタ枠を簡単に製作することができるため、部品点数の保管、管理が簡便になる。さらに、フィルタ枠を仮組みする必要が無いため、作業スペースを節約することができる。
【００８８】
また、フィルタ枠を構成する上板、底板、両側板の接続部分を４５°に切断する必要が無く、加えてカシメや面取りが不要となるため、フィルタ枠の組立工数を大幅に削減することができ、フィルタ枠のコストダウンを図ることができる。また、工数が削減された分、在庫を削減することも可能になる。
【符号の説明】
【００８９】
１    エアーフィルタ
２    濾材
３    フィルタ枠
３０    上板（枠板）
３０ａ  折曲部
３０ｂ  突条
３１    底板（枠板）
３１ｃ  貫通孔
３２    側板（枠板）
３３    側板（枠板）
３３ａ  折曲部
３３ｂ  突条
３３ｃ  貫通孔
３４    接続部品
３４ａ  角部形成部
３４ｂ，３４ｃ  固定片
３４ｄ  角面
３４ｅ，３４ｆ  補強片
３４ｇ，３４ｈ  段部
３４ｉ  補強板
４４ａ  角部形成部
４４ｂ，４４ｃ  固定片
４４ｄ  角面
４４ｅ  貫通孔
４４ｆ  補強片
４４ｆ’  ブラインドリベット
４４ｇ，４４ｈ  段部
４４ｉ  補強板
４３    側板
４５    接続部品
４５ａ  角部形成部
４５ｃ  固定片
【図１】
2015202488.tif 000003
【図２】
2015202488.tif 000004
【図３】
2015202488.tif 000005
【図４】
2015202488.tif 000006
【図５】
2015202488.tif 000007
【図６】
2015202488.tif 000008
【図７】
2015202488.tif 000009
【図８】
2015202488.tif 000010
【図９】
2015202488.tif 000011